(57)【特許請求の範囲】
【請求項１】
躯体下部に地面に面した床面を有しない、梁および柱で囲まれた開口部を備える建築物の建築物仮受け方法であって、
前記梁および柱で囲まれた開口部に水平方向に分割可能とされた複数の補強ブロックを配置するとともに、前記開口部を囲む梁と前記補強ブロックとの間に、引抜可能とされた緊張材を挿通し、
該緊張材にプレストレスを与えて、
前記補強ブロックを水平方向に押着するとともに前記開口部を囲む梁に定着して、
該開口部に床状の補強マットを形成し、
該補強マットの下面を仮受けすることを特徴とする建築物仮受け方法。
【請求項２】
請求項１に記載の建築物仮受け方法において、
前記梁および柱で囲まれた開口部を、建築物の躯体下部の、地面に面した床面を除去して設けることを特徴とする建築物仮受け方法。
【請求項３】
請求項１または２に記載の建築物仮受け方法において、
前記補強ブロックを設ける際、
前記梁および柱で囲まれた開口部に前記緊張材の挿通孔を設けた仕切り板を配置して、升状のコンクリート型枠を形成し、
該コンクリート型枠に前記緊張材を挿通し、
前記コンクリート型枠にコンクリートを打設することによって、
前記補強ブロックを設けることを特徴とする建築物仮受け方法。
【請求項４】
請求項１または２に記載の建築物仮受け方法において、
前記補強ブロックとして、
前記緊張材の挿通孔を備えたプレキャストコンクリートブロックからなる補強ブロックを用いたことを特徴とする建築物仮受け方法。
【請求項５】
請求項１〜４のいずれかに記載の建築物仮受け方法において、
前記補強ブロックの少なくとも一組には、垂直方向に対してテーパを備えた補強ブロックを設けることを特徴とする建築物仮受け方法。
【請求項６】
請求項１〜５のいずれかに記載の建築物仮受け方法において、
前記補強マットで仮受けしたあと、その仮受けを解体する際に、
前記緊張材のプレストレスを除荷し、
該緊張材を前記補強マットから引抜き、
該補強マットを補強ブロックごとに取り外して解体することを特徴とする建築物仮受け方法。
【請求項７】
躯体下部に地面に面した床面を有しない、梁および柱で囲まれた開口部を備える建築物の建築物仮受け構造であって、
前記梁および柱で囲まれた開口部に、
水平方向に分割可能に設けられ、内部に緊張材が挿通された複数の補強ブロックが配置され、
該補強ブロックが前記緊張材で前記開口部を囲む梁に定着されて床状の補強マットが形成され、
該補強マットの下面が仮受けされたことを特徴とする建築物仮受け構造。
【請求項８】
請求項７に記載の建築物仮受け構造において、
前記補強ブロックの少なくとも一組が、垂直方向に対してテーパを備えることを特徴とする建築物仮受け構造。
【発明の詳細な説明】
【０００１】
【発明の属する技術分野】
本発明は、建築物仮受け方法および構造、特に、吹き抜け構造を備える建築物であっても、容易に仮受けできる建築物仮受け方法および構造に関する。
【０００２】
【従来の技術】
従来、免震レトロフィットのように、既設建築物の基礎下に免震層などの下部構造を設ける工事では、既設建築物を、最下層の床下の基礎または補強した梁の位置で、アンダーピーニング工法などを用いて仮受けすることにより工事を行っていた。
【０００３】
図５は、このような従来の仮受け構造によって仮受けされている既設建築物１の一例を示す平面図である。図６は、そのＡ−Ａ断面図、図７は、図６におけるＥ−Ｅ断面図である。
符号１は仮受けされた既設建築物であり、その最下層は、スラブ３、柱２…、柱２…の間に設けられた梁４ａ…、４ｂ…を備え、柱２…の下にはそれぞれ基礎１１が設けられている。スラブ３の上側では柱２…の間に壁４ｃが設けられて空間が仕切られている。
【０００４】
図７に示したように、梁４ａの周りには、コンクリートを打ち増しして梁断面を増加させた補強部９が設けられている。補強部９の下には、地盤４０を掘り下げた掘削面７に打ち込まれた仮設支持部材６…が配置され、既設建築物１が仮受けされている。
【０００５】
【発明が解決しようとする課題】
しかしながら、上記のような従来の建築物仮受け方法によると、免震レトロフィットには対応できるものの、既設建築物の下に地下室を新設する場合などに必要となる階段室や、吹き抜け空間あるいはエレベータシャフトなどを既設建築物１の構造をそのまま延長して設けることが困難であった。
【０００６】
すなわち、例えば上記に説明した従来の仮受け構造を用いて既設建築物１の下に地下室を増築することを仮定すると、図５において、三方が壁４ｃで囲まれ、幅Ｃ、奥行きＤとなるように仕切られた部分が、床面３ａを備える階段室である場合、階段室を地下階に延長しなければならない。そのために仮受け状態で床面３ａを除去してＣ×Ｄの開口を設けて既設階段を延長し、壁４ｃ…に対応した壁を下方に延長する必要がある。
【０００７】
ところが、床面３ａの下には、補強部９の下部の増設工事域８を広く確保するために、梁４ａ間に幅広く出張った補強部９があるので、床面３ａは補強部９、９間の幅Ｂが除去できるだけである。幅Ｂは幅Ｃに比べてかなり狭いものとなってしまう。階下に向かって急に幅が狭くなるいびつな階段室は、機能上また美観上も設けるわけにはいかないから、実際にはこのような施工は成立しないものである。
【０００８】
このように従来の仮受け構造では、階段室、吹き抜け空間、エレベータシャフトなどの床位置で梁および柱に囲まれた開口部となる構造を既設建築物１の下に延長することが困難であるという問題があった。
【０００９】
本発明は、このような問題に鑑みてなされたものであって、躯体下部の床位置に梁および柱に囲まれた開口部を備える建築物を仮受けするとともに、その開口部を容易に下方に延長することができる建築物仮受け方法および構造を提案することを目的とする。
【００１０】
【課題を解決するための手段】
上記の課題を解決するために、請求項１に記載の発明では、躯体下部に地面に面した床面を有しない、梁および柱で囲まれた開口部を備える建築物の建築物仮受け方法であって、前記梁および柱で囲まれた開口部に水平方向に分割可能とされた複数の補強ブロックを配置するとともに、前記開口部を囲む梁と前記補強ブロックとの間に、引抜可能とされた緊張材を挿通し、該緊張材にプレストレスを与えて、前記補強ブロックを水平方向に押着するとともに前記開口部を囲む梁に定着して、該開口部に床状の補強マットを形成し、該補強マットの下面を仮受けする方法を用いる。
そのため、開口部内に設けられた補強マットを仮受けするので、開口部を形成する梁から離れた位置で仮受けすることができる。また、補強マットは緊張材を引き抜いた後、分割して解体することができるので、仮受け終了後に開口部を元に戻すことができる。
【００１１】
請求項２に記載の発明では、請求項１に記載の建築物仮受け方法において、前記梁および柱で囲まれた開口部を、建築物の躯体下部の、地面に面した床面を除去して設ける方法を用いる。
そのため、仮受けする以前に開口部を設けてから、補強マットを設けて仮受けができる。
【００１２】
請求項３に記載の発明では、請求項１または２に記載の建築物仮受け方法において、前記補強ブロックを設ける際、前記梁および柱で囲まれた開口部に前記緊張材の挿通孔を設けた仕切り板を配置して、升状のコンクリート型枠を形成し、該コンクリート型枠に前記緊張材を挿通し、前記コンクリート型枠にコンクリートを打設することによって、前記補強ブロックを設ける方法を用いる。
そのため、施工場所の開口部の大きさ・形状に合わせて補強ブロックを形成することができ、しかも補強マットの解体時には升状の補強ブロックとして個別に取り出すことができる。
【００１３】
請求項４に記載の発明では、請求項１または２に記載の建築物仮受け方法において、前記補強ブロックとして、前記緊張材の挿通孔を備えたプレキャストコンクリートブロックからなる補強ブロックを用いる。
そのため、あらかじめプレキャストコンクリートブロックとして補強ブロックを用意しておくので、施工時間を短縮できる。
【００１４】
請求項５に記載の発明では、請求項１〜４のいずれかに記載の建築物仮受け方法において、前記補強ブロックの少なくとも一組には、垂直方向に対してテーパを備えた補強ブロックを設ける方法を用いる。
そのため、垂直方向に対してテーパを備えた補強ブロックを少なくとも一組設けるので、補強マットの解体時にテーパを備えた補強ブロックから容易に取り外して解体できる。
【００１５】
請求項６に記載の発明では、請求項１〜５のいずれかに記載の建築物仮受け方法において、
前記補強マットで仮受けしたあと、仮受けを解体する際に、前記緊張材のプレストレスを除荷し、該緊張材を前記補強マットから引抜き、該補強マットを補強ブロックごとに取り外して解体する方法を用いる。
そのため、開口部に補強マットを残すことなく仮受けを解体することができ、補強ブロックごとに取り外すので、仮受けされた建築物を傷めることなく解体することができる。
【００１６】
請求項７に記載の発明では、躯体下部に地面に面した床面を有しない、梁および柱で囲まれた開口部を備える建築物の建築物仮受け構造であって、前記梁および柱で囲まれた開口部に、水平方向に分割可能に設けられ、内部に緊張材が挿通された複数の補強ブロックが配置され、該補強ブロックが前記緊張材で前記開口部を囲む梁に定着されて床状の補強マットが形成され、該補強マットの下面が仮受けされた構成を用いる。
そのため、開口部内に設けられた補強マットを仮受けするので、開口部を形成する梁から離れた位置で仮受けすることができる。また、補強マットは緊張材を引き抜いた後、分割して解体することができるので、仮受け終了後に開口部を元に戻すことができる。
【００１７】
請求項８に記載の発明では、請求項７に記載の建築物仮受け構造において、前記補強ブロックの少なくとも一組が、垂直方向に対してテーパを備える構成を用いる。
そのため、垂直方向に対してテーパを備えた補強ブロックを少なくとも一組設けるので、補強マットの解体時にテーパを備えた補強ブロックから容易に取り外して解体できる。
【００１８】
【発明の実施の形態】
以下では、本発明の実施の形態を、添付図面を参照して説明する。なおすべての図面を通して、同一または相当する部材は、同一の符号を付している。
まず、図１を参照して、本発明に係る建築物仮受け構造の実施の形態を説明する。図１（ａ）は、本発明の実施の形態を示す平面図、図１（ｂ）は、同じく図１（ａ）のＦ−Ｆ断面図である。
【００１９】
本発明に係る建築物仮受け構造は、既設建築物１の最下層部に設けられた梁４ａ、４ａ、４ｂと柱２…で囲まれる開口部を覆い、梁４ａ、４ａと接合されて、その下方が仮受け可能とされた補強マット３０からなる。
【００２０】
補強マット３０は、水平方向に、例えば５×５のように碁盤目状に並べられた、コンクリートからなる補強ブロック１２…と、梁４ａ、４ａとその間に並ぶ補強ブロック１２…との内部に挿通されたアンボンドＰＣ鋼棒、アンボンドＰＣケーブルなどのＰＣ鋼材１０…（緊張材）とを備えている。
【００２１】
補強ブロック１２…は、例えば鋼板などの板厚方向に圧縮力が加わってもほとんど寸法変化しない材料からなる仕切り板１８ａ…、１８ｂ…によって区切られており、それぞれの補強ブロック１２間にまたがる接合鉄筋などは設けられていない。梁４ａと平行に配列された仕切り板１８ａ…には、ＰＣ鋼材１０…を挿通するために補強ブロック１２…に設けられた貫通孔１２ｃに合わせて貫通孔が設けられている（不図示）。
【００２２】
補強ブロック１２…の厚さは、厚い方が高強度が得られて好ましいが、梁で囲まれた開口部に設けるため、特に厚さには制限がない。図示のように梁４ａと同じ厚さとしてもよいし、既設建築物１の荷重などの条件により必要な厚さとすることができる。
【００２３】
また、補強ブロック１２…のうちには、垂直方向上向きに開いた傾斜を設けて配置された仕切り板１８ｃ、１８ｃで区切られたテーパ付補強ブロック１２ａ、１２ｂが少なくとも一組含まれている。図２はテーパ付補強ブロック１２ａ、１２ｂの配置の様子とテーパ付補強ブロック１２ａの外形を示す斜視図である。テーパ付補強ブロック１２ａの上方には、引抜用のフック１３が設けられている。
【００２４】
ＰＣ鋼材１０…は、図１（ｂ）に示したように、ほぼ水平に挿通してもよいが、下方から荷重を受けることを考慮して、適宜圧縮ストラットアーチを形成するように挿通することが好ましい。ＰＣ鋼材１０…の端部はそれぞれ梁４ａの外側で定着板１７、定着金具１４…によってポストテンション方式により水平方向にプレストレスが導入されて定着されている。
【００２５】
なお、定着板１７…は、鋼製のアンカープレートなどでもよいが、梁４ａ…に余分なストレスを与えて損傷を招くことがないように、例えばプレキャストコンクリートブロックなどで、梁４ａ…に広い面積で当接できるものを採用すればいっそう好ましい。
【００２６】
次に本発明に係る建築物仮受け構造の作用を説明する。
まず補強ブロック１２…は、ＰＣ鋼材１０でプレストレスが導入されるために、それぞれの水平方向の端面どうしが押圧されて、垂直方向のせん断外力に対して端面間の摩擦力で抗することができるから、力学的には一体化された厚板と同等である。このため、これらから形成される補強マット３０は、プレストレストコンクリートが開口部に打設されたのとほとんど同じである。さらに、板厚やプレストレスの大きさ、ＰＣ鋼材１０の本数などによって、適宜の強度に調整することが可能である。したがって、仮設支持部材６によって仮受けする位置は、補強マット３０の裏面の自由な位置に選ぶことができる。
この結果、例えば、梁４ａの直下に必要となる増設工事域８から離れた位置に仮設支持部材６を設けることができ、作業空間を広くとることができる。
【００２７】
また、このような補強マット３０の一体性はＰＣ鋼材１０にプレストレスを導入することにより達成されるから、逆に、プレストレスを除荷し、ＰＣ鋼材１０…を引き抜くことにより、水平方向に分割された補強ブロック１２…を個別に取り出して、補強マット３０を容易に解体することができる。その際、テーパ付補強ブロック１２ａを設け、引抜方向にフック１３を設けているので、テーパ付補強ブロック１２ａをきわめて円滑に取り出すことができる。
【００２８】
このようにして、補強マット３０の一角からテーパ付補強ブロック１２ａが取り出されると、その周りのブロックの、水平方向の押圧力が確実に解除されるから、順次容易にブロックごとに解体することができる。そのため、解体された補強ブロック１２の搬出も容易で作業効率がよいという利点がある。また解体の際、大きな荷重を必要としないから、既設建築物１へ損傷やストレスを与えることもないという利点がある。
【００２９】
また、本発明では、補強ブロック１２…が定着される梁４ａ、４ａは、ＰＣ鋼材１０…を挿通するための貫通孔が設けられる以外は、補強ブロック１２によって押圧されているだけなので、補強ブロック１２の解体後、梁４ａの側面をほぼ原状どおりに回復することができる。
【００３０】
次に、上記に説明した建築物仮受け構造を設けるための、本発明に係る建築物仮受け方法について説明する。
図３（ａ）は、本発明を適用する階段室の一例の平面図である。図３（ｂ）は同じく正面図である。図３（ｃ）、図４（ａ）、（ｃ）は、その階段室にそれぞれ本発明に係る建築物仮受け方法を適用した場合の各工程を説明するための平面方向の説明図である。また、図３（ｄ）、図４（ｂ）、（ｄ）は、同じくそれぞれの正面方向の説明図である。
【００３１】
図３（ａ）、（ｂ）に示したように、既設建築物１の最下層の一角をなしている階段室２０は、地盤４０に敷設された基礎１１…に支持された床面３ａの上に設けられている。階段室２０の四隅には柱２…が配置され、その間の３方向に壁４ｃ…が設けられている。床面３ａの裏側には柱２…が基礎１１の上に延長され、それぞれの間には梁４ａ、４ａ、４ｂ、４ｂが設けられている。
既設建築物１の地下室の増設などの工事においては、地下へ通ずる階段を設けるため、このような階段室２０を地下まで延長することが求められる。
【００３２】
本発明に係る建築物仮受け方法は、大きくは、階段室２０を仮受けするに先立って、階段室２０の床面３ａを除去して、梁４ａ、４ａ、４ｂ、４ｂ、柱２…に囲まれた開口部を設ける第１の工程と、その開口部に補強ブロック１２…を設けて、その内部にＰＣ鋼材１０…を挿通して開口部を覆う第２の工程と、ＰＣ鋼材１０…にプレストレスを与えて梁４ａに定着して補強マット３０を形成する第３の工程と、補強マット３０を仮受け部として既設建築物１の全体を仮受けする第４の工程と、仮受け状態で地下に新設躯体を形成したあとに、仮受け構造を解体する第５の工程からなる。以下それぞれの工程について順次説明する。
【００３３】
まず第１の工程では、図３（ｃ）、（ｄ）に示したように、階段室２０を仮受けするに先立って、地面に面した床面３ａを切断または破砕して除去し、階段室２０の下方に作業空間を設けるため、地盤４０を掘削する。掘削面７はこのようにして広げられた地盤面を示す。
【００３４】
このとき、階段室２０は仮受けされていないから、梁４ａ…などは補強されておらず、床面３ａは、必要に応じてその下面を支えていた梁４ａ、４ａ、４ｂ、４ｂ、柱２…の側面の間際まで除去することができる。したがってそれぞれの梁・柱で囲まれた開口部２３が形成できる。開口部２３は四方を囲まれていてもよいが、少なくとも対向する２辺に梁があればよい。以下では、図３（ａ）の図示下方にある梁４ｂが除去されて、三方から囲まれているものとして説明する。
【００３５】
続く第２の工程では、図４（ａ）、（ｂ）に示したように、開口部２３に、補強マット３０を設ける。その工程の詳細を、図１（ａ）、（ｂ）を参照して説明する。
まず、開口部２３内に碁盤目状に仕切り板１８ａ…、１８ｂ…を配置する。そしてＰＣ鋼材１０…をそれぞれの貫通孔に挿通し、その端部を梁４ａ、４ａの外部に出す。さらに、仕切り板１８ａ…、１８ｂ…の上下を板材で覆い、開口部２３内にコンクリート型枠を形成する。同時に、その下方に適宜型枠を支持するための支保工などを設置する。また、仕切り板１８ｃで囲まれる型枠には、フック１３を配置しておく。そして、この型枠にコンクリートを打設し、コンクリートに所定強度が発現するまでの養生期間をおいてから、型枠を取り外す。
【００３６】
次に、第３の工程では、梁４ａ、４ａの外側に出されたＰＣ鋼材１０…の端部を順次プレストレス導入用のジャッキなどで緊張させ、所定のプレストレスを与え、定着板１７を介して梁４ａ、４ａに定着する。この工程により、開口部２３内に一体性に富んだ補強マット３０が形成される。
【００３７】
さらに第４の工程では、既設建築物１の下部に仮設支持部材６…を打ち込んで仮受けし、既設建築物１の下方を掘削して地下の増設施工を進めていく。このとき、階段室２０の仮受けは、補強マット３０の裏面を仮設支持部材６…で受けることにより行う。
【００３８】
このように仮受けが完成されると階段室２０を地下に延長するための新設躯体工事を行う。すなわち、梁４ａ、４ａ、４ｂの下部には壁体を設け、柱２…を下部に延長し、新設躯体を形成する。
【００３９】
そこで仮受けが除去可能となった時点で、仮受けを解体する第５の工程を行う。まず、仮設支持部材６…を、例えば切断するなどして取り払い、構台を組んで補強マット３０を受け替える。そしてＰＣ鋼材１０…端部の定着金具１４…を外してプレストレスを除荷する。続いてＰＣ鋼材１０を補強マット３０から順次引き抜く。
【００４０】
そして、テーパ付補強ブロック１２ａを引き抜くなどした取り外し、さらにその他の補強ブロック１２…をブロックごとに順次取り外す。さらに仕切り板１８ａ…、１８ｂ…を取り外し、補強マット３０を解体する。
【００４１】
図４（ｃ）、（ｄ）に示したのは、第５の工程が終了した様子である。梁４ａ…の階段室２０側の側面に滑らかに接続する新設壁２４ｂ…を始めとする新設躯体２４が設けられ、階段室２０の下方に、新設階段室２４ａの空間が形成されるものである。したがって、この中に上階から続く階段を設けることよって新設階段室２４ａを完成させることができる。
【００４２】
以上に説明した本発明に係る建築物仮受け方法によれば、本発明に係る建築物仮受け構造と同じ構造を設けることができるので、上記に説明したのと同様の作用効果を有する。
【００４３】
また、本発明の方法によれば、仮受けを解体する際、補強ブロック１２をブロックごとに除去するので、新設躯体２４に損傷を与えることなく安全に解体ができる。また、仮受け構造をすべて解体して除去できるので、開口部２３をほぼ原状に復帰できるという利点がある。
【００４４】
なお、上記の説明では、補強ブロック１２、テーパ付補強ブロック１２ａ、１２ｂは、現場打ちのコンクリート打設によって設けるとして説明した。そのようにすれば、開口部の大きさや形状に合わせて補強ブロック１２などを設けることができるので、幅広い施工条件に対応しやすいという利点がある。
しかし、そのかわりに補強ブロック１２などを、貫通孔１２ｃ…を有するプレキャストコンクリートブロックとして設け、それらを開口部２３に配置してからＰＣ鋼材１０…を挿通してもよい。その際、補強ブロック１２の間には解体時に分離が容易となるようにモルタルによって接着しておくと施工効率がよい。
そのように構成すれば、コンクリート型枠を設置する必要がなく、打設コンクリートの養生期間も不要となるので、施工時間が短縮できるという利点がある。
【００４５】
なお、上記の説明では、ＰＣ鋼材１０は、引き抜きを容易とするため、アンボンドＰＣ鋼材とする例で説明したが、引抜可能ならアンボンドＰＣ鋼材でなくともよい。また、解体する際ＰＣ鋼材１０を引抜きだけで除去するのでなく、例えばカッターなどを用いて切断する方法を併用してもよい。
【００４６】
なお、上記の説明では、補強ブロック１２はコンクリート製とした例で説明したが、本発明では梁４ａ、４ａの間に配置しプレストレスを加えてもあまりひずまないような、圧縮に対する剛性を備えるものならば、コンクリートに限るものではない。例えば、鋼製ブロックも採用することができる。鋼製ブロックは、コンクリート製に比べてより多く反復使用することができるから、経済的である。
【００４７】
なお、上記の説明では、ＰＣ鋼材１０は一方向に平行に設けるとしたが、この例では梁４ｂに対向する梁４ｂを第２の工程で除去しているからである。しかし、第２の工程では、場合によっては梁４ｂを除去しなくてもよく、その場合、対向する梁４ｂ、４ｂ間にＰＣ鋼材１０を挿通して強度の向上を図ってもよい。
【００４８】
さらに、上記の説明では、階段室２０の例で説明したが、この他にも例えば吹き抜け空間、エレベータシャフトなど、元の床位置が梁および柱に囲まれた開口部となる構造を既設建築物１の下に延長する工事に適用できることは言うまでもない。
【００４９】
また、上記説明では、第１の工程において、開口部２３を設けるために床面３ａを除去しているが、例えば地面に通じる吹き抜け空間を備える場合などは床面を除去するまでもなく開口部を備えているので、この場合には第１の工程は行わなくてもよい。
【００５０】
なお、上記の説明では、本発明に最も効果的な例で説明したため、第５の工程によって補強マット３０を解体するとしたが、場合によっては、第５の工程を行わなくてもよい。例えば、既設建築物の上部のみを切除して曳家する場合、切除によって生じる開口部を補強マットで覆って仮受けできることは当然だが、移設後、解体せず床面として用いてもよい。
【００５１】
【発明の効果】
以上に述べたように、請求項１に記載の発明では、開口部を形成する梁から離れた位置で仮受けすることができるので、施工の中心となる梁の下を大きく開けることができるから作業性が向上するという効果を奏する。
また、補強マットは緊張材を引き抜いた後、分割して解体することができるので、仮受け終了後に開口部を元に戻すことができるから、上階の構造をそのまま下階に延長できるという効果を奏する。
【００５２】
請求項２に記載の発明では、仮受けする以前に開口部を設けてから、補強マットを設けて仮受けするようにしたので、仮受けのための補強構造が支障となることなしに、開口部を設けることができるという効果を奏する。
【００５３】
請求項３に記載の発明では、施工場所の開口部の大きさ・形状に合わせて補強ブロックを形成することができ、しかも補強マットの解体時には升状の補強ブロックとして個別に取り出すことができるから、開口部の大きさ・形状などの種々の施工条件に適応できるという効果を奏する。
【００５４】
請求項４に記載の発明では、あらかじめプレキャストコンクリートブロックとして補強ブロックを用意しておくので、施工時間を短縮できるから、施工効率を向上できるという効果を奏する。
【００５５】
請求項５に記載の発明では、補強マットの解体時にテーパを備えた補強ブロックから容易に取り外して解体できるから、解体時の作業効率を向上できるという効果を奏する。
【００５６】
請求項６に記載の発明では、開口部に補強マットを残すことなく仮受けを解体することができ、補強ブロックごとに取り外すので、仮受けされた建築物を傷めることなく解体することができて、仮受けのための補強部が支障となることがないから、仮受けされた建築物の構造を、そのまま新設躯体に延長して設けることができるという効果を奏する。
【００５７】
請求項７に記載の発明では、請求項１に記載の建築物仮受け方法によって構成されるものと同じだから、請求項１に記載の発明と同様の効果を奏する。
【００５８】
請求項８に記載の発明では、請求項５に記載の建築物仮受け方法によって構成されるものと同じだから、請求項５に記載の発明と同様の効果を奏する。
【図面の簡単な説明】
【図１】  本発明に係る建築物仮受け構造の実施の形態を示す平面図およびそのＦ−Ｆ断面図である。
【図２】  補強ブロックの配置の様子とその外形を示す斜視図である。
【図３】  本発明に係る建築物仮受け方法の実施の形態を説明するための平面および正面方向の説明図である。
【図４】  本発明に係る建築物仮受け方法の実施の形態を説明するための平面および正面方向の説明図である。
【図５】  従来の仮受け構造の一例を示す平面方向の説明図である。
【図６】  図５におけるＡ−Ａ断面図である。
【図７】  図６におけるＥ−Ｅ断面図である。
【符号の説明】
１  既設建築物
２  柱
３  スラブ
３ａ  床面
４ａ、４ｂ  梁
６  仮設支持部材
１０  ＰＣ鋼材（緊張材）
１２  補強ブロック
１２ａ、１２ｂ  テーパ付補強ブロック
１２ｃ  貫通孔
１３  フック
１４  定着金具
１５  プレキャストコンクリートブロック
１７  定着板
１８ａ、１８ｂ  仕切り板
２０  階段室
２３  開口部
３０  補強マット
【図１】
0003740607.tif 000002
【図２】
0003740607.tif 000003
【図３】
0003740607.tif 000004
【図４】
0003740607.tif 000005
【図５】
0003740607.tif 000006
【図６】
0003740607.tif 000007
【図７】
0003740607.tif 000008